(57)【特許請求の範囲】
【請求項１】
戸枠側には枠側アームの一端側を引戸の端部側には戸側アームの一端側を設け、前記枠側アームの他端側と戸側アームの他端側とを連結するとともに、これら枠側アーム及び戸側アームに形成された電線収納部には電気機器と接続した電線を収納してなる引戸用の通電装置において、
前記枠側アームの他端部と戸側アームの他端部とは前記電線を挿入するコイルバネを介して連結するとともに、このコイルバネを枠側アームと戸側アームの回動中心としたことを特徴とする引戸用の通電装置。
【請求項２】
枠側アームと戸側アームとを有し、前記枠側アームの他端側と戸側アームの他端側とを連結するとともに、これら枠側アーム及び戸側アームに形成された電線収納部には電気機器と接続した電線を収納してなる引戸用の通電装置において、
前記枠側アームの他端部と戸側アームの他端部とは前記電線を挿入するコイルバネを介して連結するとともに、このコイルバネを枠側アームと戸側アームの回動中心とする一方、
前記枠側アームの一端に枠側アームバネを固定して、その枠側アームバネの一端側を戸枠側に設けるとともに、前記戸側アームの一端に戸側アームバネを固定して、その戸側アームバネの一端側を引戸の端部側に設けてなることを特徴とする引戸用の通電装置。
【請求項３】
コイルバネは、該コイルバネの一端側を枠側アームの他端側の電線収納部に収納して固定部材で固定し、該コイルバネの他端側を戸側アームの他端側の電線収納部に収納して固定部材で固定してなる請求項２記載の引戸用の通電装置。
【請求項４】
枠側アームバネと戸側アームバネとしては板バネを用いている請求項２または３記載の引戸用の通電装置。
【請求項５】
枠側アームバネと戸側アームバネは、戸枠に固定した枠取付板または引戸の端部側に固定した戸取付板を介して戸枠または引戸に固定してある請求項２ないし４のいずれかに記載の引戸用の通電装置。
【発明の詳細な説明】
【０００１】
【発明の属する技術分野】
本発明は、戸枠から戸へ配線されて、電力供給や電気信号を取り出すための電線を保護する引戸用の通電装置に関する。
【０００２】
【従来の技術】
この種の引戸用の通電装置としては、一般的に、電源と引戸の電気錠（電気機器）とを結ぶ電線は、戸枠の端部と引戸の端部とにおいて該電線に垂みを設けてぶら下げており、しかも該戸枠と引戸の外面に露出して配線されていた。
【０００３】
そのため、上記従来例のものでは、戸枠の端部と引戸の端部とにおいて電線がぶら下がり状態で、戸枠と引戸の外面に露出しているため、戸の開閉時に該電線が不用意に切断又は損傷されたりして、漏電や電気回路の接続不良等を惹き起し、防犯面および安全面から見て問題があった。
【０００４】
そこで、上記の如き問題点を解消するため、本願出願人は、特開平７ー２３８７５３号公報に記載されているような引戸用の通電装置を提案した。
この公報記載の引戸用の通電装置は、図１２に示すように、戸枠ａと引戸ｂの端部との間に、電線０４を収納する電線収納部０２２、０３２を有する断面コ字又はＶ字状の枠側アーム０２０と戸側アーム０３０とを断面コ字状の枠取付板０１０又は戸取付板０１５を介して設け、枠側アーム０２０の一端は戸枠ａ側に前記枠取付板０１０を介して枢軸０２１で枢支するとともに、戸側アーム０３０の一端は引戸ｂの端部側に前記戸取付板０１５を介して枢軸０３１で枢支し、前記枠側アーム０２０の他端部と戸側アーム０３０の他端部とは連結部材０４０により回動可能に枢支してなるものである。図１２において、ａ１、ａ２は縦框、ａ３、ａ４は横框、０１は横框ａ３の凹溝で、この凹溝０１内を引戸ｂの上端部が摺動される。０２は引戸ｂの下部に取り付けた転動体、０３は引戸用の通電装置、０５は電気錠や操作スイッチ等の電気機器、０６ａ、０６ｂ、０６ｃはコネクター、０１１、０１６はネジ、０１２、０１７は電線の挿通孔、０１３、０１８は電線０４をガイドする電線収納部、０４４、０４５は枢軸、０３２は戸側アーム０３０の電線収納部である。
【０００５】
【発明が解決しようとする課題】
しかるに、上記特開平７ー２３８７５３号公報記載の引戸用の通電装置によれば、以下の如き問題点があった。
【０００６】
(イ)   枠側アーム０２０の一端は、戸枠ａに取り付けた枠取付板０１０の両側壁間に枢軸０２１で回動自在に枢支するとともに、戸側アーム０３０の一端は、引戸ｂの端部側に取り付けた戸取付板０１５の両側壁間に枢軸０３１で回動自在に枢支するものであり、両アーム０２０、０３０の回動支点を枢軸０２１、０３１に設定したものである。そのため、枠取付板０１０及び戸取付板０１５の電線収納部０２２、０３２において、枠側アーム０２０と戸側アーム０３０の端部を回動可能とするとともに、電線０４を該電線収納部０２２、０３２に隠れた状態で収納するためには、前記両取付板０１０、０１５における電線収納部０１３、０１８のスペース（高さ）を大きくしなければならない。また、戸開閉時に電線０４が枢軸０２１、０３１に当たって摩耗したり又は動作音がしたりする。或いは前記枢軸０２１、０３１の周りに塵埃等が付着することによって、枠側アーム０２０や戸側アーム０３０の回動動作が不良となったり、該枢軸０２１、０３１又は両アーム０２０、０３０が摩耗したり又はアームと取付板が擦れ合って不快な動作音がしたりする。
【０００７】
(ロ)   このものでは、図１４、図１３、図１２に示すように、断面コ字又はＶ字状からなる枠取付板０１０又は戸取付板０１５の電線収納部０１３、０１８に枠側アーム０２０又は戸側アーム０３０の先端部を遊嵌合して枢軸０２１、０３１で枢支し、該枢軸０２１、０３１を回動支点、枢軸０４４，０４５を回動中心として枠側アーム０２０または戸側アーム０３０が回動されるようになっている。そのため、図１３に示す如く、枠取付板０１０又は戸取付板０１５の側壁と枠側アーム０２０又は戸側アーム０３０の側壁との間には隙間Ｓが生じる。この隙間Ｓに起因して、枠側アーム０２０および戸側アーム０３０の回動時（つまり戸の開閉時）に、該枠側アーム０２０及び戸側アーム０３０がガタつき、このガタつきによって枠側アーム０２０及び戸側アーム０３０の他端側の連結部（図１２の０４０参照）が左右方向（室内・室外方向）に振れて戸袋ロに当たり不快な当接音の原因となったり、戸の開閉が軽快に行なえなくなったりする。
【０００８】
(ハ)   また、図１４に示すように、枠取付板０１０又は戸取付板０１５の電線収納部０１３、０１８内で、枠側アーム０２０又は戸側アーム０３０の先端部が回転できるような所定の回転スペースＴが必要となり、枠取付板０１０又は戸取付板０１５の側壁の高さＨが高くなるため、引戸ｂを開戸状態としたときに、引戸ｂの端面と戸枠ａの縦框ａ１との間の距離（つまり引戸の引残し量）が大きくなる。
【０００９】
(ニ)   枠側アーム０２０の他端部と戸側アーム０３０の他端部とは、金属製などの剛体で形成した連結部材０４０に回動自在に枢着しているため、この連結部分で電線０４の垂みを調整することはできない。また、長い２本の枠側アーム０２０と戸側アーム０３０とを連結部材で組み立てる作業が煩わしく手間が掛かる。
【００１０】
（ホ）  上述の如く、枠側・戸側の両アーム０２０、０３０の他端部を剛体の連結部材０４０で枢着しているため、その連結近傍における電線０４は被覆されることなく外部に露出しているので、耐久性が劣る。
【００１１】
本発明は、上記問題点を解消するために案出したものであり、電線が枢軸に当たって摩耗することなく耐久性を高め、枠側・戸側の両アームの回動動作時に両アームの連結部が戸袋に当たって不快音を発生するのを防止したり、収納スペースを小さくすることにより開戸時に戸の引残し量を小さくし、さらに前記連結部で自由に位置調整をして電線の垂みを簡単に調整できるなどの優れた引戸用の通電装置を提供しようとするものである。
【００１２】
【課題を解決するための手段】
上記目的を達成するため、本発明の引戸用の通電装置は、戸枠側には枠側アームの一端側を引戸の端部側には戸側アームの一端側を設け、前記枠側アームの他端側と戸側アームの他端側とを連結するとともに、これら枠側アーム及び戸側アームに形成された電線収納部には電気機器と接続した電線を収納してなる引戸用の通電装置において、前記枠側アームの他端部と戸側アームの他端部とは前記電線を挿入するコイルバネを介して連結するとともに、このコイルバネを枠側アームと戸側アームの回動中心としたことを特徴とする。
【００１３】
枠側アーム及び戸側アームに形成する電線収納部としては、両アームを断面コ字状（Ｖ字状やＵ字状も含む広義に解すべきである。）に形成して、該コ字状部の開放部から電線を出し入れするようにしたものや、両アームを筒状に形成し、該筒状部内に電線を挿入するようにしたものでもよく、適宜設計変更することができる。
【００１４】
また、枠側アームと戸側アームは、それぞれ１本ずつが望ましいが、２本以上を連結部材で折り畳み可能に連結したものを用いることもでき、その個数には制限はない。
【００１５】
ここで、コイルバネは、該コイルバネの一端側を枠側アームの他端側の電線収納部に収納して固定部材で固定し、該コイルバネの他端側を戸側アームの他端側の電線収納部に収納して固定部材で固定するとよい。
【００１６】
本発明は、前記コイルバネを設けるとともに、一端側を前記戸枠側に設けるとともに、他端部を枠側アームの一端に固定した枠側アームバネと、一端側を引戸の端部側に設けるとともに、他端部を戸側アームの一端に固定した戸側アームバネとを設けた方が好ましい。
【００１７】
枠側アームバネと戸側アームバネは、板バネが好ましいが、例えば筒状のコイルバネでもよく、その形状や材質は適宜設計変更できる。
【００１８】
この枠側アームバネと戸側アームバネは、戸枠または引戸に直接に固定することもできるが、戸枠に固定した枠取付板または引戸の端部側に固定した戸取付板を介して戸枠または引戸に固定する方が好ましい。該枠取付板または戸取付板が枠側アームバネまたは戸側アームバネを保護し補強を果たすからである。
【００１９】
電線に接続される電気機器としては、ソレノイドなどの電動施解錠機構やマイクロスイッチなどを内蔵し、施解錠を電気的に行なうようにしたいわゆる電気錠や電気的に自動開閉されるオートドアにおける操作スイッチなどが用いられる。
【００２０】
前述の電線は、狭義の絶縁電線やケーブル或いはコードなど電流を流すことのできる広義の電線を言う。
【００２１】
【発明の実施の形態１】
本発明の第１の実施の形態を図１〜図９に基づいて以下に説明する。図１は戸枠の開口を引戸で閉鎖した閉戸状態を示す図２の要部拡大正面図、図２は閉戸状態の正面図、図３は引戸用の通電装置の一部分解斜視図、図４は図２の引戸用の通電装置の右側半分を上方から見た平面図、図５は戸枠の開口を開放した開戸状態の正面図、図６は開戸状態における引戸用の通電装置の拡大正面図、図７は図６のＶｌｌーＶｌｌ線方向へ見た側面図、図８は図６のＶｌｌｌーＶｌｌｌ線方向へ見た側面図、図９はコイルバネを枠側アームと戸側アームの他端部に取付ける前の状態を示す正面図である。
【００２２】
図２において、ａは任意大きさからなる戸枠であって、この戸枠ａは縦框ａ１、ａ２と横框ａ３、ａ４で囲んで開口を形成し、該開口の右側は戸袋ロで閉鎖するとともに左側は出入口となる開口イとしている。上部横框ａ３は図２に示す如く１本の凹溝１を有するレール状に形成してあり、この凹溝１に引戸ｂが走行可能に設けられている。この引戸ｂを図５に示すように戸袋ロ内に収納して開口イを形成する。
【００２３】
前記引戸ｂの下部にはローラー等の転動体２、２を取り付け、引戸ｂが下部横框ａ４の上面を円滑に走行できるようにしてある。
転動体２、２に代えて、引戸ｂの下部の長手方向に凹溝を形成するとともに、下部横框ａ４の長手方向に突条を突設してレール状として、前記引戸ｂの凹溝に下部横框ａ４の突条を嵌合して引戸が走行できるようにした構成や、その他任意の構成を採ることができる。
【００２４】
本発明は、この実施形態では１つの引戸ｂによる片開き方式に適用しているが、図２で戸袋ロに代えて別の引戸（図示せず）を設けて引違い戸式にも採用できるし、３つ以上の引戸の場合にも採用できる。引戸を上述のように種々に変形し得ることは、以下に述べるような各実施形態においても同様である。
【００２５】
戸枠ａと引戸ｂの端部との間には引戸用の通電装置３が設けてある。この引戸用の通電装置３は、戸枠ａの縦框ａ２にネジ等の締結部材１１で固定された枠取付板１０と、引戸ｂの端部側にネジ等の締結部材１６で固定された戸取付板１５と、枠取付板１０の他端側に一端部をリベットやネジや溶接等の固定部材２１で固定した板バネからなる枠側アームバネ２０と、戸取付板１５の他端側に一端部をリベットやネジや溶接等の固定部材３１で固定した板バネからなる戸側アームバネ３０と、前記枠側アームバネ２０の他端部に一端部をリベットやネジや溶接等の固定部材４１で固定した断面コ字状からなる枠側アーム４０と、戸側アームバネ３０の他端部に一端部をリベットやネジや溶接等の固定部材５１で固定した断面コ字状からなる戸側アーム５０と、枠側アーム４０の他端部と戸側アーム５０の他端部とを連結する部分に設け、かつ枠側アーム４０と戸側アーム５０の回動中心となるコイルバネ６０とからなっている。
【００２６】
枠取付板１０と戸取付板１５とは断面コ字状の筒体として同一構造としてある。この枠取付板１０と戸取付板１５には、狭義の絶縁電線やケーブルやコード等からなる電線４を保護するように収納する電線収納部１２、１７と、前記締結部材１１、１６を挿通する孔１３、１８とが設けられている。
【００２７】
前記枠取付板１０と戸取付板１５とは同一構造として互換できるようにする方が、部品点数が少なくなり経済的である。また、両者の形状は断面コ字状に限らず、枠側アーム２０及び戸側アーム３０の形状に合わせて断面がＵ字状やＶ字状の樋状など適宜設計変更できる。また、枠取付板１０と戸取付板１５とを設けることなく、枠側アームバネ２０と戸側アームバネ３０の一端側を縦框ａ２又は引戸ｂの端部側にネジ等の固定部材により固定することもできるが、前述したような電線収納部１２、１７を形成した枠取付板１０と戸取付板１５とを設けた方が電線４の切断を防止できる利点がある。
【００２８】
枠側アーム４０と戸側アーム５０とは、図３の如き断面コ字状、その他の断面樋状などでもよいが、両アーム４０、５０とも、電線４を収納できる電線収納部４２、５２が設けられていることが好ましい。電線４の一端側には電源（図示せず）が、他端側には前述した電気錠や操作スイッチ等の電気機器５が接続されている。図２の６ａ、６ｂ、６ｃはコネクターである。
前記枠側アーム４０の一端に枠側アームバネ２０を固定して、その枠側アームバネ２０の一端側を戸枠ａ側に設けている。また、戸側アーム５０の一端に戸側アームバネ３０を固定して、その戸側アームバネ３０の一端側を引戸の端部側に設けている。
【００２９】
コイルバネ６０は、円筒状のものが好ましく、電線４を通したコイルバネ６０の一端側を枠側アーム４０の他端側の電線収納部４２に嵌め込んで収納して、両者を合成樹脂製や金属製の帯金やその他の手段からなる固定部材４３で固定する（図９参照）。次に、該コイルバネ６０（電線４が通っている）の他端側を戸側アーム５０の他端側の電線収納部５２に嵌め込んで収納して、前記固定部材４３と同様に構成された固定部材５３で両者を固定する（図１参照）。故に、コイルバネ６０の一端側と他端側を、所望の長さ分だけ前記枠側アーム４０と戸側アーム５０の任意位置に前記固定部材４３、５３で固定できるため、コイルバネ６０の取付位置の調整が上下方向に自由にできる。そのため、電線４の垂みの調整が固定部材４３、５３を巻き付けるだけの簡単な操作で行なえ、取付作業が楽になる。また、枠側アーム４０と戸側アーム５０の他端側の連結部における回動中心Ｐ（図１、図２参照）はバネ部分であるので、両アーム４０、５０は電線４を被覆して収容した状態で大きな曲率半径で屈曲できる。
【００３０】
この第１実施形態の場合には、開戸状態において、図５に示す如く、引戸ｂの後端面と戸枠ａの縦框ａ２間の距離（引残し量）Ｌは、枠取付板１０及び戸取付板１５の厚みを薄くできるので、従来例に比べて小さくすることができる。
電線４は、枠取付板１０、枠側アームバネ２０、枠側アーム４０、コイルバネ６０、戸側アーム５０、戸側アームバネ３０、戸取付板１５並びに引戸ｂの電線ガイド部７２（図２参照）を通り、その末端部を電気機器５に接続されている。
【００３１】
戸側アーム５０には、引戸ｂの端面に当接する面に、スポンジやゴムその他の弾性素材で形成した戸当り部材５４を設けている。
図１で７０は電線４を枠に固定する固定具、７１は電線４を引戸ｂに固定する固定具である。図１〜図３、図５〜図８において、２２は枠側アームバネ２０に電線４を固定する固定部材、３２は戸側アームバネ３０に電線４を固定する固定部材であって、両固定部材２２、３２は前述した固定部材４３、５３と同様に作られている。すなわち、固定部材２２、３２、４３、５３は、特に限定しないが、例えば図３に示しているように市販されている結束バンドを用いるとよい。この結束バンドは、図３に示されているように、合成樹脂製などで帯部と、該帯部の一端に固着され帯部挿入穴を形成した固定部とからなっている。使用前（常態時）には帯部と固定部とは結合されていず一本のバンド状となるものである。使用時には、結束しようとする複数の部材、例えば図３で符号５３について説明すると、戸側アーム５０の電線収納部５２に電線４を挿入しているコイルバネ６０の下部を収納してから、戸側アーム５０とコイルバネ６０とを前記使用前の結束バンドで巻きつけ、該バンドの帯部の先端部を固定部の帯部挿入穴に挿入して締め付けることによって、戸側アーム５０とコイルバネ６０とは図１、図２、図６に示す如く固定される。２２、３２、４３も上記と同様にして行われる。
図１、図２、図６及び図８で、５５は市販されているプッシュリベットであって、これで電線の垂みを止める。従って、例えば枠取付板１０、戸取付板１５、枠・戸側アームバネ２０、３０、枠側アーム４０、戸側アーム５０等でも必要に応じて使用してもよい。図１、図２、図６及び図９で５６は固定部材４３の逃げ溝である。
【００３２】
上記実施形態において、引戸の開閉動作等について説明する。
制御盤に組み込まれたスイッチあるいは制御盤に接続された操作スイッチをオン又はオフすることにより、前記電気機器５を解錠又は施錠（この施解錠動作は逆でもよい）状態とし、引戸ｂを手動又は自動で開らき又は閉めることができる。この引戸ｂの開戸時（図５参照）、閉戸時（図２参照）のいずれの場合においても、電線４は、各アーム４０、５０の折り曲げ（屈曲）動作および開拡動作に何ら支障なく追従するだけでなく、上記各アーム４０、５０の伸縮動作のいずれの場合においても、該電線４は各アーム４０、５０の電線収納部４２、５２に収容されているため切断又は損傷されることがない。
【００３３】
図５の開戸状態から図２の閉戸状態となるように引戸ｂを図５で左方向（閉鎖方向）に引くと、枠側アーム４０と戸側アーム５０とは、両アーム４０、５０の連結部材たるコイルバネ６０を回動中心Ｐとして、該回動中心Ｐ部分のコイル部の左側が伸びて引戸ｂを閉鎖方向に円滑に回動して行く。逆に、図２の閉戸状態から図５の開戸状態となるように引戸ｂを図２で右方向（開放方向）に引くと、枠側アーム４０と戸側アーム５０とは、前記コイルバネ６０の回動中心Ｐ部分の左側が縮まり引戸ｂを開戸方向へ円滑に回動していく。
【００３４】
上述の閉戸操作及び開戸操作のいずれの場合にも、前述の如くコイルバネ６０が回動中心Ｐとなるため、従来例の如く、図１２に示すように、剛体からなる連結部材０４０に剛体からなる枢軸０４４、０４５を枢支し、この枢軸０４４、０４５のみを回動中心としたものに比べて、引戸の開閉が円滑に行える。また、前記コイルバネ６０を枠側アーム４０の他端部と戸側アーム５０の他端部との任意位置に固定部材４３、５３で固定するだけでよいので、枠側アーム４０と戸側アーム５０との連結部の位置調整が自由にでき、電線の垂みの調整が簡単で現場作業が楽になる。しかも、前記回動中心Ｐが包絡線（曲線または直線）上の任意位置に移動できるので、開口量の異なる戸に対しても、枠側アーム４０及び戸側アーム５０の長さを変えることなく、枠側アーム４０及び戸側アーム５０の一端側を戸枠または戸の所望の一定の高さ位置に取り付けることができるし、電線の垂みの調整も簡単にできる。さらに、コイルバネ６０内には電線４を挿入して保護しているため電線の耐久性がよい上に、枠側アーム４０及び戸側アーム５０（電線４）が大きな曲率半径で屈曲できる。
【００３５】
枠取付板及び戸取付板の電線収納部内に固定する枠側アームバネ及び戸側アームバネとして板バネを用いると、該板バネの肉厚が例えば０．３〜１ｍｍ程度のものでもよいので、枠取付板及び戸取付板の側壁の高さ（電線収納部の高さ）を低くすることができる。そのため、引戸の開戸状態時に引戸の端面と戸枠の縦框との間の距離つまり引戸の引残し量が小さくできる。
【００３６】
枠取付板と枠側アームバネ及び、戸取付板と戸側アームバネとは、従来例の如く枢軸で枢支するものではなく固定するものであるため、従来例の如き枠取付板又は戸取付板の側壁と枠側アーム又は戸側アームの側壁との間の隙間が生じることがない。そのため、戸の開閉時に枠側アームと戸側アームの他端側の連結部が室内・室外方向に振れて戸袋に当たり不快音となることもなく、戸の開閉が静かに軽快に行える。
【００３７】
【発明の実施の形態２】
本発明の第２の実施の形態を図１０に基づいて以下に説明する。図１０はこの実施形態における引戸用の通電装置の一部の分解斜視図である。
【００３８】
この実施形態の引戸用の通電装置３は、前記第１の実施形態における枠側アームバネ２０と戸側アームバネ３０としてコイルバネ２０ａ、３０ａを用いた点と、該コイルバネ２０ａ、３０ａを取り付けるための、枠取付板１０と枠側アーム４０及び戸取付板１５と戸側アーム５０におけるコイルバネ２０ａ、３０ａを取り付ける部分の構造の点とが、前記第１の実施形態と異なる。その他の構成は第１の実施形態と同一であるので、図示を省略している。詳しくは図１〜図９を参照するとよい。
【００３９】
すなわち、図１０において、コイルバネ２０ａ、３０ａは上下両端部にフック２３、２４、２５、２６を有したものである。コイルバネ２０ａの上部フック２３は、枠取付板１０の下部の側壁１０ａ、１０ｂ間に横設した軸８０に掛架するとともに、下部フック２４は枠側アーム４０の上部の側壁４０ａ、４０ｂ間に横設した軸８１に掛架している。また、コイルバネ３０ａの上部フック２５は、戸取付板１５の下部の側壁１５ａ  １５ｂ間に横設した軸８３に掛架するとともに、下部フック２６は戸側アーム５０の上部の側壁５０ａ、５０ｂ間に横設した軸８４に掛架している。
【００４０】
コイルバネ２０ａ、３０ａの枠取付板１０及び枠側アーム４０、戸取付板１５及び戸側アーム５０への取り付け方法は、上述のものに限らず、コイルバネ２０ａ、３０ａの上下両端に雄ねじを有する筒状のねじ栓を固着し、上部ねじ栓を枠取付板１０又は戸取付板１５の下端部に形成した雌ねじに螺合するとともに、下部ねじ栓を枠側アーム４０又は戸側アーム５０の上端部に形成した雌ねじに螺合するようにしたものでもよく、その他適宜設計変更することができる。
【００４１】
【発明の実施の形態３】
本発明の第３の実施の形態を図１１に基づいて以下に説明する。図１１はこの実施形態における引戸用の通電装置の斜視図である。
【００４２】
この実施の形態の引戸用の通電装置３は、前記第１の実施形態におけるコイルバネ６０を省略して以下に述べるような構成を採った点に特徴を有し、その他の構成は第１の実施形態と同様としているものである。
【００４３】
すなわち、図１１において、戸側アーム５０は断面コ字状であってその側壁５０ａ、５０ｂの下端部には長孔９０、９１を形成する。一方、枠側アーム４０は前記戸側アーム５０を外嵌合して被蓋できるように形成するとともに、該枠側アーム４０の側壁４０ａ、４０ｂの下端部には耳片４５、４５を形成し、この耳片４５、４５に貫通孔４６、４６を形成している。そこで、戸側アーム５０の下端部を枠側アーム４０の耳片４５、４５内に嵌合し、前記耳片４５、４５の貫通孔４６、４６と戸側アーム５０の長孔９０、９１とを位置合わせし、それらの孔内にボルト９２を挿入してから、該ボルト９２の先端部をナット９３でねじ込んで結合する。従って、前記長孔９０、９１内をボルト９２が上下動することにより、枠側アーム４０と戸側アーム５０との離間距離が調節される。
【００４４】
なお、この場合には、枠側アーム４０が戸側アーム５０を箸箱のように収容するため、開戸状態において両者４０、５０の厚味は枠側アーム４０の側壁４０ａ、４０ｂの厚味だけでよいので、開戸時における引戸用ｂの引残し量が少なくできる利点がある。
【００４５】
なお、各実施形態において、枠側アーム４０と戸側アーム５０は、それぞれ断面コ字状の長尺体１本を設けているが、２本以上ずつ設けることもできる。２本以上ずつ設けた場合には、各単位アーム同士の連結は例えば枢軸（図示せず）で枢支し、その連結部で各単位アームが折り畳みできるようにする。
【００４６】
また、各実施形態図では、枠側アームと戸側アームとの固定部材による固定方式としては、戸側アーム５０を長くし、該戸側アーム５０より短い枠側アーム４０の下端部を戸側アーム５０の下部に交差するように配設し、予め枠側アーム４０の下端部に固定部材４３で固定したコイルバネ６０の他端部と、前記戸側アーム５０の下部とを固定部材５３で固定している。しかし、これに限らず、戸側アーム５０を短くし枠側アーム４０を長くして、枠側アーム４０の下部と、戸側アーム５０に一端を固定したコイルバネ６０の他端部を固定部材５３で固定する方法でもよい。
【００４７】
【発明の効果】
（１）  請求項１記載の発明によれば、枠側アームの他端部と戸側アームの他端部とは電線を挿入するコイルバネを介して連結するとともに、このコイルバネを枠側アームと戸側アームの回動中心としているから、従来例の如く連結部材に枠側及び戸側の両アームを枢軸で枢支して、この枢軸部分の１点のみを回動中心としたものに比べて、引戸の開閉が円滑に行える。また、前記コイルバネを枠側アームの他端部と戸側アームの他端部との任意位置に固定部材で固定するだけでよいので、枠側アームと戸側アームとの連結部の位置調整が自由にでき、電線の垂みの調整が簡単で現場作業が楽になる。しかも、前記回動中心Ｐが包絡線（曲線または直線）上の任意位置に移動できるので、開口量の異なる戸に対しても、枠側アーム及び戸側アームの長さを変えることなく、枠側アーム及び戸側アームの一端側を戸枠または戸の所望の一定の高さ位置に取り付けることができるし、電線の垂みの調整も簡単にできる。また、コイルバネ内には電線を挿入して保護しているため電線の耐久性がよい上に、枠側アーム及び戸側アーム（電線）が大きな曲率半径で屈曲できる。
さらに、従来例の如く特別な連結部材で長い２本の枠側アームと戸側アームとを連結する作業が不要となり、組立作業が簡単で迅速に行なえる。
【００４８】
（２）  請求項２記載の発明によれば、、枠側アームの一端に枠側アームバネを固定して、その枠側アームバネの一端側を戸枠側に設けるとともに、戸側アームの一端に戸側アームバネを固定して、その戸側アームバネの一端側を引戸の端部側に設けているから、前記枠側アームバネと戸側アームバネとは従来の枢軸を用いてないため、従来の枢軸に起因する両アームの開閉動作不良や摩耗、不快な動作音がなく良好な製品が提供できる。しかも、戸開閉時に電線が枢軸に当たって摩耗することもなく耐久性が向上するし、戸枠及び引戸への枠側・戸側両アームの取付作業が簡単に行うことができる。
【００４９】
（３）  請求項３記載の発明によれば、コイルバネは、該コイルバネの一端側を枠側アームの他端側の電線収納部に収納して固定部材で固定し、該コイルバネの他端側を戸側アームの他端側の電線収納部に収納して固定部材で固定しているから、枠側アームと戸側アームの電線収納部を有効に利用するとともに、該コイルバネの取り付けが簡単に行なえる。
【００５０】
（４）  請求項４記載の発明によれば、枠側アームバネと戸側アームバネとして板バネを用いているので、枠側アームや戸側アーム及び枠取付板や戸取付板への取付作業が簡単であるばかりか、開戸時における枠取付板と戸取付板との重なり長さ（厚さ）が小さくできるため、引戸の引残し量を小さくでき、戸の開口（出入口）の開口面積を広くとることができる。
【００５１】
（５）  請求項５記載の発明によれば、上記（４）の効果がある。しかも、枠取付板と枠側アームバネ及び、戸取付板と戸側アームバネとは、従来例の如く枢軸で枢支するものではなく固定するものであるため、従来例の如き枠取付板又は戸取付板の側壁と枠側アーム又は戸側アームの側壁との間の隙間が生じることがない。そのため、戸の開閉時に枠側アームと戸側アームの他端側の連結部が室内・室外方向に振れて戸袋に当たり不快音となることもなく、戸の開閉が静かに軽快に行える。さらに、枠取付板または戸取付板は、枠側アームバネと戸側アームバネを戸枠又は引戸の端部側に取り付ける場合の補強にもなるし、電線のガイドも果たすことができる。
【図面の簡単な説明】
【図１】第１の実施形態における閉戸状態を示す図２の要部拡大正面図である。
【図２】第１の実施形態における閉戸状態の正面図である。
【図３】引戸用の通電装置の一部分解斜視図である。
【図４】図２の引戸用の通電装置の右側半分を上方から見た平面図である。
【図５】戸枠の開口を開放した開戸状態の正面図である。
【図６】開戸状態における引戸用の通電装置の拡大正面図である。
【図７】図６のＶｌｌーＶｌｌ線方向へ見た側面図である。
【図８】図６のＶｌｌｌーＶｌｌｌ線方向へ見た側面図である。
【図９】コイルバネを枠側アームと戸側アームの他端部に取付ける前の状態を示す正面図である。
【図１０】第２の実施形態における引戸用の通電装置の一部の分解斜視図である。
【図１１】第３の実施形態における引戸用の通電装置の斜視図である。
【図１２】従来例の閉戸状態の正面図である。
【図１３】従来例における枠取付板（戸取付板）と枠側アーム（戸側アーム）との枢支部近傍を示す側面からみた説明図である。
【図１４】従来例における正面から見た説明図である。
【符号の説明】
３      引戸用の通電装置
４      電線
５      電気機器
１０    枠取付板
１２    電線収納部
１５    戸取付板
１７    電線収納部
２０    枠側アームバネ
２１    固定部材
３０    戸側アームバネ
３１    固定部材
４０    枠側アーム
４１    固定部材
４２    電線収納部
４３    固定部材
５０    戸側アーム
５１    固定部材
５２    電線収納部
５３    固定部材
６０    コイルバネ
ａ      戸枠
ｂ      引戸
イ      開口
ロ      戸袋
Ｓ      隙間
Ｔ      回転スペース
Ｈ      側壁の高さ
Ｐ      回動中心
Ｌ      引残し量
【図１】
0003666531.tif 000002
【図２】
0003666531.tif 000003
【図３】
0003666531.tif 000004
【図４】
0003666531.tif 000005
【図５】
0003666531.tif 000006
【図６】
0003666531.tif 000007
【図７】
0003666531.tif 000008
【図８】
0003666531.tif 000009
【図９】
0003666531.tif 000010
【図１０】
0003666531.tif 000011
【図１１】
0003666531.tif 000012
【図１２】
0003666531.tif 000013
【図１３】
0003666531.tif 000014
【図１４】
0003666531.tif 000015